(57)【要約】【課題】中詰め材を充填収容したかご構造体を吊下げた場合にもかごの変形を抑え、常に水平の状態で移送させることが可能な中詰め用かご構造体及び該構造体の吊下げ方法を提供すること。【解決手段】底面網２、側面網４ａ〜４ｄ、天井網５が、何れも外周部が棒状枠体Ｆで囲われた金網Ｎから成り、底面網２及び複数の側面網４ａ〜４ｄを囲繞する吊下枠部材１６，１８がそれぞれの金網Ｎに固定され、この吊下枠部材１６，１８の頂部１６ｃ，１６ｄ，１８ｃ，１８ｄは、天井網５まで延在し、かつ天井網５の中心に対して対称位置にあり、しかも吊下げフックが係止できる構造であるので、中詰め用かご構造体１が強度的に変形しにくく、吊下げ時にバランスを失うような事態も起きない。【選択図】  図３
2004353353.tif 000002
【特許請求の範囲】
【請求項１】
底面網とその外周域を取り囲む立設した側面網より成るかご型ユニット内に中詰め材を充填収容し、その後該ユニットの頂部開口を天井網で覆うようにした中詰め用かご構造体であって、前記底面網、側面網、天井網はいずれも外周部が金属製線体で囲われた網体から成り、底面網及び側面網を囲繞する金属製吊下枠部材がそれぞれの網体に固定され、該金属製吊下枠部材の頂部は前記天井網まで延在し、かつ吊下げフックが係止できる構造を有していることを特徴とする中詰め用かご構造体。
【請求項２】
前記金属製吊下枠部材の各頂部は天井網の中心に対して対称位置にある請求項１に記載の中詰め用かご構造体。
【請求項３】
前記金属製吊下枠部材は前記底面網及び側面網を２回囲繞する１本の金属製線体で構成されている請求項１または２に記載の中詰め用かご構造体。
【請求項４】
前記かご型ユニットは矩形又は正方形或いは円形の底面網を有し、前記金属製吊下枠部材は対向する側面網をそれぞれ囲繞する請求項１ないし３の何れかに記載の中詰め用かご構造体。
【請求項５】
前記請求項１ないし４の何れかに記載の中詰め用かご構造体を吊下げフックにより吊下げる中詰め用かご構造体の吊下げ方法であって、前記かご型ユニットの頂部開口より中詰め材を充填収容した後に該ユニットの頂部開口を天井網で塞いで側面網に固定し、次いで吊下げフックでそれぞれの金属製吊下枠部材の頂部、側面網及び天井網の外周部を構成する金属製線体の三者を一緒に係止して吊下げることを特徴とする中詰め用かご構造体の吊下げ方法。
【請求項６】
前記吊下げフックは吊下げロープを介して水平保持体に連結されている請求項５に記載の中詰め用かご構造体の吊下げ方法。
【発明の詳細な説明】
【０００１】
【発明の属する技術分野】
本発明は、底面網とその外周域を取り囲む立設した側面網より成るかご型ユニット内に中詰め材を充填収容し、その後該ユニットの頂部開口を天井網で覆うようにした中詰め用かご構造体及びこの中詰め用かご構造体を吊下げフックにより吊下げる吊下げ方法に関する。
【０００２】
【従来の技術】
河川改修や海岸整備、或いは地盤の土留め用として、ブロックの積み上げやコンクリートによる被覆工法に代えて、河川等の自然石又は砕石等を中詰め材として充填収容したかご構造体が従来公知である（特許文献１，２参照）。このかご構造体を用いる方法は、現場でかご構造体を組み立てて石詰めを行うことができるので、従来工法に比べ簡単で安価に施工できる利点を有していた。
【０００３】
【特許文献１】
特公平８−１６３２３号公報（段落００１１から００１３、図２、図３）
【特許文献２】
特開平２００２−１５５５１８号公報（図５）
【０００４】
【発明が解決しようとする課題】
上述したかご構造体は、据え付け現場での組み付け施工には便利であるが、据え付け現場での作業が困難である場合には、組み付け現場から据え付け現場までクレーン等で吊り上げて移動させなければならず、かご構造体にクレーンのフックを引っかけて吊下げると、中詰め材の偏りが生じてかごが変形してバランスを失うことがあり、据え付け後も中詰め材を再度均一にならす作業を強いられていた。
【０００５】
本発明は、上記課題に鑑みてなされたもので、中詰め材を充填収容したかご構造体を吊下げた場合にもかごの変形を抑え、常に水平の状態で移送させることが可能な中詰め用かご構造体及び該構造体の吊下げ方法を提供することを目的としている。
【０００６】
【課題を解決するための手段】
上記目的を達成するために、本発明の中詰め用かご構造体は、底面網とその外周域を取り囲む立設した側面網より成るかご型ユニット内に、中詰め材を充填収容した後に該ユニットの頂部開口を天井網で覆うようにした中詰め用かご構造体であって、前記底面網、側面網、天井網はいずれも外周部が金属製線体で囲われた網体から成り、底面網及び側面網を囲繞する金属製吊下枠部材がそれぞれの網体に固定され、該金属製吊下枠部材の頂部は前記天井網まで延在し、かつ吊下げフックが係止できる構造を有していることを特徴としている。
この特徴によれば、金属製吊下枠部材が底面網及び側面網を囲繞しているので、かご型ユニットが強度的に変形しにくい構造となり、また吊下げフックを係止させるときに、金属製吊下枠部材の頂部と、側面網、天井網の金属製線体を一緒にして係止できる。
【０００７】
本発明の中詰め用かご構造体において，  前記金属製吊下枠部材の各頂部は天井網の中心に対して対称位置にあるのが好ましい。
このようにすると、その頂部の吊下げフックが係止できる位置が天井網の中心に対して対称位置にあるので、吊下げ時に中詰め用かご構造体がバランスを失うような事態も起きない。
【０００８】
本発明の中詰め用かご構造体において，  前記金属製吊下枠部材は前記底面網及び側面網を２回囲繞する１本の金属製線体で構成されているのが好ましい。
このようにすると、金属製吊下枠部材が底面網及び複数の側面網を２重に囲繞することになるので、強度向上が図れるだけでなく、吊下げフックが係止できる構造が容易に得られる。
【０００９】
本発明の中詰め用かご構造体において，  前記かご型ユニットは矩形又は正方形或いは円形の底面網を有し、前記金属製吊下枠部材は対向する側面網をそれぞれ囲繞するのが好ましい。
このようにすると、かご構造が立方体又は直方体或いは円柱状の形となるので、単位ユニットとして規則的に積み重ねたりするのに便利であり、金属製吊下枠部材も縦と横に配設されるので、強度的に優れたバランスの良いかご構造体が得られる。
【００１０】
本発明の中詰め用かご構造体の吊下げ方法は、前記中詰め用かご構造体を吊下げフックにより吊下げる中詰め用かご構造体の吊下げ方法であって、前記かご型ユニットの頂部開口より中詰め材を充填収容した後に該ユニットの頂部開口を天井網で塞いで側面網に固定し、次いで吊下げフックでそれぞれの金属製吊下枠部材の頂部、側面網及び天井網の外周部を構成する金属製線体の三者を一緒に係止して吊下げることを特徴としている。
この特徴によれば、フック吊下げ時に、吊下げ部分が金属製吊下枠部材の頂部、側面網及び天井網の外周部を構成する金属製線体の３箇所となるので、かごの変形が抑止される。
【００１１】
本発明の中詰め用かご構造体の吊下げ方法において、前記吊下げフックは吊下げロープを介して水平保持体に連結されているのが好ましい。
このようにすると、フック吊下げ時に、中詰め用かご構造体は常に水平状態に維持される。
【００１２】
【発明の実施の形態】
以下に、添付図面を参照して本発明の一実施形態について説明する。図１は本発明の一実施形態に係る中詰め用かご構造体を構成する金属製吊下枠部材の配置関係を示す斜視図、図２の（ａ），（ｂ）は底面網、側面網及び天井網の展開図、図３は天井網とかご型ユニットの斜視図、図４はかご型ユニットが補強枠部材内に収容される状態を示す説明図、図５は砕石等の中詰め材が収容されたかご型ユニットの頂部開口に天井網が取付けられる状態を示す説明図、図６は砕石が収容された中詰め用かご構造体から補強枠部材を取外した状態を示す説明図、図７は砕石が収容された中詰め用かご構造体を吊上げる状態を示す部分斜視図、図８は中詰め用かご構造体を吊上げる際における吊下げフックの係止状態を示す部分拡大斜視図であり、図９は砕石が収容された中詰め用かご構造体が水平保持体を介して吊上げられる状態を示す斜視図である。
【００１３】
図３に示されるように、１は中詰め材となる複数の砕石または自然石を収容する頂部開口６ａを有するかご型ユニット６と、この頂部開口６ａを覆う天井網５と、かご型ユニット６を強度的に補強するための金属製吊下枠部材（以下吊下枠部材と称する）１６，１８で構成される中詰め用かご構造体である。
【００１４】
かご型ユニット６は、平面視矩形または正方形に形成された底面網２とその外周域を取り囲む４つの立設した矩形状側面網４ａ，４ｂ，４ｃ，４ｄから成るかご状のもので、吊下枠部材１６，１８をかご型ユニット６に取付けた後に中詰め材をこのかご型ユニット６内に収納載置し、図５に示すように、頂部開口６ａを天井網５で覆って、例えば河川等の法面（グランド）上もしくは河床（グランド）の所定領域に運搬して、或いはその場で施工して敷設される。
【００１５】
底面網２、側面網４ａ〜４ｄ及び天井網５はステンレス鋼で製作され、いずれも全面が網体（金網Ｎ）で構成され外周部が骨線となる金属製線体Ｆで方形状に囲んだもので、各網は、図２、図３に示されるように、所定長さの螺旋コイル１４（ステンレス鋼）を要所に用いて立体構成されている。尚、使用する網の面積が広い場合には、図示した天井網５の如く中央にも補強用の金属製線体Ｆを用いて強度的に頑丈な中詰め用かご構造体を得るようにしている。尚、この補強用の金属製線体Ｆは十文字状にして更に補強を強化しすることもできる。そして、天井網５に限らず底面網２、側面網４ａ〜４ｄにも適用されることは言うまでもない。
【００１６】
図１には４つの吊下枠部材が符号１６，１８で示されており、吊下枠部材１６は側面網４ａと底面網２と側面網４ｂとを囲繞し、また吊下枠部材１８は側面網４ｃと底面網２と側面網４ｄとを囲繞して、それぞれかご型ユニット６に螺旋コイル１４を介して取付けられている。
【００１７】
吊下枠部材１６，１８は同一構造をしているので、一方の吊下枠部材１６について説明する。吊下枠部材１６は１本の金属製線体を連結した形で構成され、底面網２に取付けられる互いに離間して平行に配置した水平支持部１６ａ、１６ｂと、この水平支持部の両端から上方に向けて折曲して対向する２組の側面網４ａ，４ｂに取付けられる三角形状部１６ｃ、１６ｄから成り、この三角形状部１６ｃ１６ｄの頂点となる頂部は天井網５が配置される位置まで延在している。
【００１８】
このように吊下枠部材１６は１本の金属製線体でかご型ユニット６の底面と両側面側を２回囲繞するので構造的に頑強なかご構造が得られる。三角形状部１６ｃ、１６ｄの頂部は吊り下げフックＨ（図８参照）で係止できるよう水平支持部１６ａ、１６ｂの延長部が互いに連接している。尚、ここで使用される吊下枠部材１６，１８は底面網２、側面網４ａ〜４ｄ及び天井網５と同じステンレス鋼が使用されている。
【００１９】
次に、中詰め用かご構造体の組立て手順に付き説明する。
【００２０】
先ず、図２の（ａ）に示されるかご型ユニット６は、正方形に形成された底面網２と、その４辺に連結された矩形状側面網４ａ，４ｂ，４ｃ，４ｄとから成り、底面網２各辺の金属製線体Ｆと、これら各辺に対応して配置された矩形状側面網４ａ，４ｂ，４ｃ，４ｄ周囲の金属製線体Ｆの一辺がそれぞれ螺旋コイル１４により連結される。
【００２１】
そこで、矩形状側面網４ａ，４ｂ，４ｃ，４ｄを垂直に立ち上げて、４箇所の立ち上げた垂直辺を構成する金属製線体Ｆ同士を螺旋コイル１４により連結することで、頂部６ａが開口したかご型ユニット６が構成される。
【００２２】
次に、立方体が構成されたかご型ユニット６の底面網２には、吊下枠部材１６，１８が配置され、螺旋コイル１４により底面網２と側面網４ａ〜４ｄに連結固定される。これら吊下枠部材１６，１８は図１、図４ａに示すように、底面網２に対して縦横に２本ずつ計４つ配置され、吊下枠部材１６，１８の三角形状部１６ｃ，１６ｄ，１８ｃ，１８ｄの各頂部は天井網の５の中心点に対して点対称に配置して、吊り下げフックＨを各頂部と係合して中詰め用かご構造体１が吊り下げられたときに水平状態に維持されるようにすることが好ましい。
【００２３】
次に、前記のように組み立てられたかご型ユニットに中詰め材となる砕石または自然石を充填収容する手順に付き図４〜図６を参照して説明する。
【００２４】
先ず、吊下枠部材１６，１８を取付けたかご型ユニット６に中詰め材を充填収容する際には、かご型ユニット６の周囲を囲繞する所要の剛性を有する補強枠１０が使用される。
【００２５】
そこで、図４（ａ）に示すように、かご型ユニット６を図示しないロープを介して吊り上げて図４（ｂ）に示される補強枠１０の内部に収容して、図５に示すように収容されたかご型ユニット６の内部に中詰め材Ｓとしての砕石または自然石を頂部開口６ａまで充填し、天井網５外周の金属製線体Ｆを側面網４ａ，４ｂ，４ｃ，４ｄ上端各辺の金属製線体Ｆに螺旋コイル１４を介して結合して頂部開口６ａを塞ぐ。その後、図６に示すように、４箇所のフック部１２にロープＲを懸吊して補強枠１０を吊上げて中詰め用かご構造体１から取外す。
【００２６】
次に前記のように構成された中詰め用かご構造体の吊り下げ方法に付き図７〜図９を参照して説明する。
【００２７】
図７、図８に示される中詰め用かご構造体１の天井網５の中心に対し点対称位置となる各辺に配置された吊下枠部材の頂部と、側面網４ａ〜４ｄ上端の金属製線体Ｆと、天井網５外周各辺の金属製線体Ｆの三者とを吊下げフックＨにより同時に係止する。
【００２８】
吊下げフックＨは、図９に示すように、四角形状の枠部材で構成される水平保持体ＨＦの各辺下端に三角形状部１６ｃ，１６ｄ，１８ｃ，１８ｄに対応する位置から吊下げられた８本の均等長さのロープＲ下端に取付けられており、水平保持体ＨＦの４箇所を４本のロープＲにより図示しない重機などにより吊上げることで、中詰め材Ｓである砕石または自然石などが充填収容された中詰め用かご構造体１を、水平状態を保持した状態で所望位置に移動設置することができる。
【００２９】
従って、前記のように構成された中詰め用かご構造体によれば、底面網２、側面網４ａ，４ｂ，４ｃ，４ｄ、天井網５の外周部は何れも金属製線体Ｆで囲われた金網Ｎであって、底面網２及び複数の側面網４ａ，４ｂ，４ｃ，４ｄを囲繞する吊下枠部材１６，１８がそれぞれの金網Ｎに固定され、吊下枠部材１６，１８の頂部は天井網５まで延在し、かつ天井網５の中心に対して対称位置にあり、しかも吊下げフックＨが係止できる構造を有しているので、かご型ユニット６が強度的に変形しにくい構造となり、吊下げ時に中詰め用かご構造体１がバランスを失うような事態もなく安定した状態で移設することができる。
【００３０】
また、吊下枠部材１６，１８は、底面網２、側面網４ａ，４ｂ，４ｃ，４ｄを２重に囲繞する１本の金属製線体で構成されているので、強度向上が図れるだけでなく、三角形状部１６ｃ，１６ｄ，１８ｃ，１８ｄにより吊下げフックＨに容易に係止できる。
【００３１】
更に、かご型ユニット６は、立方体や直方体状の形のみならず、底面網２を円形にして円柱状とすることも可能であり、形を統一しておけば単位ユニットとして規則的に積み重ねたりするのにも便利であり、しかも吊下枠部材１６，１８が底面網２の縦、横に配設して対向する側面網をそれぞれ囲繞することで、強度的に優れたバランスの良いかご構造体が得られる。
【００３２】
そして、中詰め用かご構造体の吊下げ方法においては、かご型ユニット６の頂部開口６ａより中詰め材Ｓを充填収容した後に、このユニット６の頂部開口６ａを天井網５で塞いで側面網４ａ，４ｂ，４ｃ，４ｄに固定し、次いで吊下げフックＨを吊下枠部材１６，１８の三角形状部１６ｃ，１６ｄ，１８ｃ，１８ｄと側面網４ａ，４ｂ，４ｃ，４ｄ及び天井網５の外周部を構成する金属製線体Ｆの三者を一緒にして吊下げるので、かごの変形が抑止される。
【００３３】
また、吊下げフックＨは、吊下げロープＲを介して水平保持体ＨＦに連結されているので、吊下げフックＨによる吊下げ時に、中詰め用かご構造体１が常に水平状態に維持される。
【００３４】
以上、本発明の実施形態を図面により説明してきたが、具体的な構成はこれら実施例に限られるものではなく、例えば、網体、螺旋コイル、網の外周部を構成する金属製線体や吊り下げ枠部材を構成する金属製線体はステンレス鋼で説明してきたが、ステンレス鋼に代えて、例えば亜鉛メッキの鉄線や亜鉛アルミ合金メッキの鉄線を使用することも可能である。
【００３５】
【発明の効果】
本発明は次の効果を奏する。
【００３６】
（ａ）請求項１の発明によれば、吊下枠部材が底面網及び側面網を囲繞しているので、かご型ユニットが強度的に変形しにくい構造となり、また吊下げフックを係止させるときに、吊下枠部材の頂部と、側面網、天井網の金属製線体を一緒にして係止できる。
【００３７】
（ｂ）請求項２の発明によれば、その頂部の吊下げフックが係止できる位置が天井網の中心に対して対称位置にあるので、吊下げ時に中詰め用かご構造体がバランスを失うような事態も起きない。
【００３８】
（ｃ）請求項３の発明によれば、吊下枠部材が底面網及び複数の側面網を２重に囲繞することになるので、強度向上が図れるだけでなく、吊下げフックが係止できる構造が容易に得られる。
【００３９】
（ｄ）請求項４の発明によれば、かご構造が立方体又は直方体或いは円柱状の形となるので、単位ユニットとして規則的に積み重ねたりするのに便利であり、吊下枠部材も縦と横に配設されるので、強度的に優れたバランスの良いかご構造体が得られる。
【００４０】
（ｅ）請求項５の発明によれば、フック吊下げ時に、吊下げ部分が金属製吊下枠部材の頂部、側面網及び天井網の外周部を構成する金属製線体の３箇所となるので、かごの変形が抑止される。
【００４１】
（ｆ）請求項６の発明によれば、フック吊下げ時に、中詰め用かご構造体は常に水平状態に維持される。
【図面の簡単な説明】
【図１】本発明の一実施形態に係る中詰め用かご構造体を構成する金属製吊下枠部材の配置関係を示す斜視図である。
【図２】（ａ），（ｂ）は底面網、側面網及び天井網の展開図である。
【図３】天井網とかご型ユニットの斜視図である。
【図４】かご型ユニットが補強枠部材内に収容される状態を示す説明図である。
【図５】砕石等の中詰め材が収容されたかご型ユニットの頂部開口に天井網が取付けられる状態を示す説明図である。
【図６】砕石が収容された中詰め用かご構造体から補強枠部材を取外した状態を示す説明図である。
【図７】砕石が収容された中詰め用かご構造体を吊上げる状態を示す部分斜視図である。
【図８】中詰め用かご構造体を吊上げる際における吊下げフックの係止状態を示す部分拡大斜視図である。
【図９】砕石が収容された中詰め用かご構造体が水平保持体を介して吊上げられる状態を示す斜視図である。
【符号の説明】
１                中詰め用かご構造体
２                底面網
４ａ，４ｂ        側面網
４ｃ，４ｄ        側面網
５                天井網
６                かご型ユニット
６ａ              頂部開口
１０              補強枠
１２              フック部
１４              螺旋コイル
１６，１８        吊下枠部材（金属製吊下枠部材）
１６ａ，１６ｂ    水平支持部
１６ｃ，１６ｄ    三角形状部
１８ｃ，１８ｄ    三角形状部
Ｆ                金属製線体
Ｈ                フック
ＨＦ              水平保持体
Ｎ                網体（金網）
Ｒ                ロープ
Ｓ                中詰め材（砕石、自然石など）
【図１】
2004353353.tif 000003
【図２】
2004353353.tif 000004
【図３】
2004353353.tif 000005
【図４】
2004353353.tif 000006
【図５】
2004353353.tif 000007
【図６】
2004353353.tif 000008
【図７】
2004353353.tif 000009
【図８】
2004353353.tif 000010
【図９】
2004353353.tif 000011